(57)【要約】【課題】水道配管、農業用水配管の制水弁、ガス配管の制御弁等を保護する弁室用の蓋であって、わざわざ開かなくても内部を点検できるようにする。【解決手段】配管用の弁の操作部を内蔵する弁室に設けられ該弁室の開口部を覆蓋する把手付きの蓋であって、一端部が蝶番式に開閉自在に弁室に取り付けられ、他端部には該蓋を閉状態で弁室に固定する固定具が設けられるとともに、当該蓋の一部に弁室内を観察することのできる覗窓を設け、該覗き窓に透明な保護カバーを設けた。この弁室用蓋の材質は、耐食性に優れた合成樹脂とし、中央部が高くなるような断面湾曲形状に成形しておくのが好ましい。【選択図】　　　　図１
2004044304.tif 000002
【特許請求の範囲】
【請求項１】
配管用の弁の操作部を内蔵する弁室に設けられ該弁室の開口部を覆蓋する把手付きの蓋であって、一端部が蝶番式に開閉自在に弁室に取り付けられ、他端部には該蓋を閉状態で弁室に固定する固定具が設けられるとともに、当該蓋の一部に弁室内を観察することのできる覗窓を設け、該覗き窓に透明な保護カバーを設けたことを特徴とする弁室用蓋。
【請求項２】
弁室用蓋が樹脂性である請求項１に記載の弁室用蓋。
【請求項３】
弁室用蓋及び保護カバーの断面形状が、中央部が高い湾曲形状となっている請求項１又は２に記載の弁室用蓋。
【発明の詳細な説明】
【０００１】
【発明の属する技術分野】
本発明は、水道配管、農業用水配管の制水弁、ガス配管の制御弁等の配管用の弁を保護するとともに、必要に応じてこれらの弁を操作するために設けられている弁室の蓋に関するものである。
【０００２】
【従来の技術】
水道配管、農業用水配管やガス配管に設けられている弁を保護するとともに、必要に応じて操作できるようにするため、地表に露出する弁室を設けて、この弁室内に弁を収納していることが多い。この弁室は、上部が開口しており、該開口部を開閉自在な蓋で覆蓋するようになっている。従来、この種の弁室としては、鋼管や鉄筋コンクリート管が用いられており、その上部開口部を覆う蓋は鋼板製のものが使用されている。
【０００３】
この種の弁室としては、例えば特開平７−２２９１６０号公報に、マンホール内の点検をするための点検窓付きのマンホールの蓋を設けたものが開示されている。また、実開平６−４１７５号公報には、弁室内に雨水や土砂の流入を抑制するための内蓋を設けたものが開示されている。
【０００４】
【発明が解決しようとする課題】
ところで、この種の弁室は、屋外に設けられているので、雨水や塩害によって弁室や弁室用蓋が腐食して穴が開いてしまうことがあった。このように弁室に穴が開くと、そこから雨水や土砂が侵入して弁を腐食させたり、弁操作に支障をきたすという問題がある。また、特に南西の離島では、腐食によって生じた穴から蛇（ハブ）が弁室内に侵入し、操作のために弁室用蓋を開けた作業者が蛇に噛まれるという問題が生じたこともあった。
【０００５】
上記特開平７−２２９１６０号公報に記載のものは、弁室内部を観察できるようにするため、マンホール蓋に点検用窓を設けているが、この窓は常時は蓋で覆蓋されていて、内部を点検するたびに、当該蓋を開閉しなければならないので、煩わしく手間がかかるという問題がある。一方、上記実開平６−４１７５号公報に記載の内蓋は、天然素材又は合成樹脂からなる弾性体で成型されており、外蓋、内蓋に分かれているので、塩害等による腐食の度合いや、弁室内部の状態を確認できないという問題がある。
【０００６】
そこで本発明は、上記従来の弁室及び弁室用蓋の問題点を改良し、塩害等による腐食を防止し、さらに弁室用蓋をわざわざ開けなくても弁室内部を容易に観察点検することのできる弁室用蓋を提供することを課題としている。
【０００７】
【課題を解決するための手段】
上記課題を解決するため、本発明は次のような構成を採用した。すなわち、本発明にかかる弁室用蓋は、配管用の弁の操作部を内蔵する弁室に設けられ該弁室の開口部を覆蓋する把手付きの蓋であって、一端部が蝶番式に開閉自在に弁室に取り付けられ、他端部には該蓋を閉状態で弁室に固定する固定具が設けられるとともに、当該蓋の一部に弁室内を観察することのできる覗窓を設け、該覗き窓に透明な保護カバーを設けたことを特徴としている。
【０００８】
【発明の実施の形態】
以下、図面に表された本発明の実施形態について具体的に説明する。図１は本発明を実施した弁室の平面図（ａ）及び正面図（ｂ）であり、図２はその左側面図、図３は右側面図である。これらの図において、この弁室１は、下部が地中に埋め込まれ、上部が地上に突出していて、図６に示すように、地中に付設されている水道配管２の仕切り弁３の操作部３ａが当該弁室内部に配置されている。
【０００９】
弁室１の本体１ａは耐食性を有する合成樹脂、好ましくは耐食性にすぐれたＦＲＰ（繊維強化プラスチック）で円筒状に成形されており、上部は開口している。この本体１ａの開口部には蝶番式に開閉自在な蓋５が設けられている。蓋５は、本体１ａと同様に合成樹脂、好ましくは耐食性にすぐれたＦＲＰで上に凸な断面湾曲形状に成形されていて、一方の端部に横方向に突出する平面視概略コ字形で側面視下向き屈曲形状のブラケット７が設けられている。
【００１０】
一方、本体１ａの側面部には横向きに突出する一対の取付金具８，８の基部が所定間隔でボルトで固着されており、前記ブラケット７の突出部がその内側に重なり合った状態で軸（ボルト）９によって蝶番式に取り付けられている。蓋５は、この軸９を中心に上下に回動して開閉される。これらブラケット７、取付金具８、軸９等は蓋５を本体１ａに開閉自在に取り付ける蝶番を構成するもので、耐食性にすぐれたステンレス鋼で作られている。
【００１１】
蓋５の上記蝶番式の取付け部の反対側端部には、該蓋５を閉じた状態で本体１ａに固定することのできる固定具１０が設けられている。固定具１０は基部が蓋５の外周部に固着され、その中央部から側方へ突出する一対の突出片を備えた蓋側部材１１と、該蓋側部材１１が係合する本体側部材１２で構成される。
【００１２】
上記固定具１０の本体側部材１２は、本体１ａの外周部に固着される基部と、該基部から側方へ突出して上向きに屈曲する突出部とを備えた１対の受け具が上記蓋側部材で挟まれるように設けられていて、蓋側部材１１と本体側部材１２に設けられているボルト挿通穴に固定用ボルト１５を挿通してナットを締め付けることにより、両者が固定されるようになっている。上記固定具１０の各部材も耐食性にすぐれたステンレス鋼で作られている。
【００１３】
蓋５の中央部には、円形の開口からなる覗き窓２０が設けられている。覗き窓２０の外周縁には、蓋５の上面から僅かに隆起する立ち上がり縁部２０ａが全周にわたって形成されている。この覗き窓２０は、保護カバー２２によって覆蓋される。保護カバー２２は、透明な合成樹脂例えばポリカーボネートで成形されたもので、平面視円形であり、その上面は、中央部が盛り上がるような断面湾曲形状となっていて、外周部には、下向きに垂下する垂下縁部２２ａが全周にわたって一体成形されている。覗き窓２０にこのカバー２２を取り付ける場合は、上記立ち上がり縁部２０ａの外面部に垂下縁部２２ａを無理嵌め式（弾性を利用）に嵌合して固定する。なお、立ち上がり縁部２０ａと垂下縁２２ａを嵌合した状態で、側部から固定用ボルトを挿入して両者を固定してもよい。
【００１４】
蓋５の上面の前記固定具１０寄りの位置には、当該蓋を開閉するための把手２５が取り付けられている。把手２５は、図に示すように、概略下向きコ字形であり、下向きに屈曲した両端部にそれぞれネジ部２５ａが設けられている。このネジ部を蓋５に設けた穴５ｂに挿通し、ナットを締め付けることにより、把手２５が蓋５に固定される。この把手２５を構成する部材もステンレス鋼で作られている。
【００１５】
この弁室１は、地上に露出した開口部に開閉自在な蓋５が設けられているので、当該蓋５を開くことにより、内部の弁の操作を簡単に行うことができる。この蓋５は合成樹脂（例えばＦＲＰ）で作られているので、軽量であり、開閉操作が楽である。弁室１の開口部は、常時は蓋５で覆蓋されているので、雨水や土砂等が侵入しない。また、この蓋５には覗き窓２０が設けられていて、該覗き窓には透明な保護カバー２２が被せられているので、蓋５を開かなくても内部を観察することができる。このため、内部の点検に便利である。なお、蓋５や覗窓のカバー２２は上に凸な形状に成形されているので、強度的にすぐれているのみならず、上側に雨水等が溜るおそれがない。
【００１６】
さらに、この弁室１の本体１ａと蓋５は、耐食性を有する合成樹脂で作られており、これに取り付けられる各部材はステンレス鋼製であるから、耐食性にすぐれ、塩害や雨水による腐食が生じにくい。
【００１７】
【発明の効果】
以上に説明した如く、本発明にかかる弁室用蓋は、耐食性を有する合成樹脂で成形されているので、雨水や塩害による腐食が生じにくい。また合成樹脂製であるから軽量であり、開閉操作を楽に行うことができる。さらに、この蓋５には、覗き窓が設けられており、該覗き窓が透明な保護カバーで覆われているので、蓋５を開けなくても弁室内部の点検を行うことができるようになり、実用上便利なものとなった。図示例のように、蓋及び覗き窓のカバーを上に凸な湾曲形状に成形しておくと、強度的に優れているのみならず、上面に雨水等が溜らないので、腐食防止上好ましい。なお、以上の説明では、円形の弁室について説明したが、角型の弁室の場合も同様である。
【図面の簡単な説明】
【図１】弁室と蓋の平面図（ａ）及び正面図（ｂ）である。
【図２】その左側面図である。
【図３】その右側面図である。
【図４】蓋本体の側面図（ａ）と平面図（ｂ）である。
【図５】カバーの平面図（ａ）及び正面図（ｂ）である。
【図６】弁室の例を表す断面図である。
【符号の説明】
１　　　　　　　弁室
３　　　　　　　弁
５　　　　　　　蓋
１０　　　　　　　固定具
２０　　　　　　　覗き窓
２２　　　　　　　保護カバー
２５　　　　　　　把手
【図１】
2004044304.tif 000003
【図２】
2004044304.tif 000004
【図３】
2004044304.tif 000005
【図４】
2004044304.tif 000006
【図５】
2004044304.tif 000007
【図６】
2004044304.tif 000008